(57)【要約】【課題】スプール機能を有さないプリンタを使用したままでも、プリンタが受信し保管している全ての印刷ジョブの状態を端末で監視できるようにする。【解決手段】プリントサーバ４は、端末２からネットワーク１を通じて送信される印刷ジョブを取込むと、この印刷ジョブからジョブ管理情報を抽出する。そして、抽出したジョブ管理情報を該当印刷ジョブの状態を示すステータス情報とともに、端末２で閲覧可能に蓄積記憶する。その後、プリンタ３での印刷ジョブの印刷状況に同期させて記憶された当該印刷ジョブのステータス情報を更新する。また、端末２からの印刷ジョブ削除，停止または再開の制御指令があると、それに応じて当該印刷ジョブのステータス情報を更新する。【選択図】      図１
2008134953.tif 000002
【特許請求の範囲】
【請求項１】
印刷ジョブの生成機能を有した端末とプリンタとを接続してなるネットワーク上に設けられた印刷管理装置であって、
前記端末から前記ネットワークを通じて送信される前記印刷ジョブを取込む印刷ジョブ取込手段と、
この印刷ジョブ取込手段により取込んだ前記印刷ジョブからジョブ管理情報を抽出するジョブ管理情報抽出手段と、
このジョブ管理情報抽出手段により抽出したジョブ管理情報を該当印刷ジョブの状態を示すステータス情報とともに、前記端末で閲覧可能に蓄積記憶するジョブ管理情報記憶手段と、
前記プリンタでの印刷ジョブの印刷状況に同期させて前記ジョブ管理情報記憶手段により記憶された当該印刷ジョブのステータス情報を更新する第１のステータス更新手段と、
前記端末からの印刷ジョブ削除，停止または再開の制御指令に応じて前記ジョブ管理情報記憶手段により記憶された当該印刷ジョブのステータス情報を更新する第２のステータス更新手段と、
を具備したことを特徴とする印刷管理装置。
【請求項２】
請求項１記載の印刷管理装置において、
当該印刷管理装置と前記端末及び前記プリンタとの間の通信プロトコルとしてＴＣＰ／ＩＰ（Transmission Control Protocol/Internet Protocol）を使用し、かつ、前記プリンタをアプリケーションプロトコルＳＮＭＰ（Simple Network Management Protocol）に対応したものとして、
前記ジョブ管理情報記憶手段は、印刷ジョブ毎のジョブ管理情報をステータス情報とともにＭＩＢ（Management Information Base）情報として記憶することを特徴とする印刷管理装置。
【発明の詳細な説明】
【技術分野】
【０００１】
本発明は、ネットワークプリンタシステムのプリントサーバとして機能する印刷管理装置に関する。
【背景技術】
【０００２】
ＬＡＮ（Local Area Network）等のネットワークにパーソナルコンピュータ等の複数台のクライアント端末と、少なくとも１台のプリンタ及びプリントサーバとを接続し、プリントサーバを介して各クライアント端末で作成された印刷ドキュメントをプリンタに送出してプリントアウトするようにしたネットワークプリンタシステムは、現在、様々な分野で広く活用されている。
【０００３】
この種のネットワークプリンタシステムでは、通常、クライアント端末でのアプリケーション処理等により印刷ドキュメントが発生すると、クライアント端末はその印刷ドキュメントを含む印刷ジョブ情報を生成する。そして、この印刷ジョブ情報をネットワークを介してプリントサーバに送出する。一方、プリントサーバは、各クライアント端末から印刷ジョブ情報を受取る毎に、その受取った印刷ジョブ情報をネットワークを介してプリンタに送出する。プリンタは、プリントサーバから受取った印刷ジョブ情報により印刷ジョブを実行する。
【０００４】
このようなネットワークプリンタシステムにおいて、クライアント端末では印刷ジョブ情報の出力とともにプリンタ監視モジュールが起動し、プリンタ監視モジュールは、プリンタと通信を行ってプリンタの状態を監視して、プリンタの状態の変化をクライアント端末でモニタリングできるようにしたものは、既に知られている。（例えば、特許文献１参照）。
【特許文献１】特開２０００−３２２２２７号公報
【発明の開示】
【発明が解決しようとする課題】
【０００５】
しかしながら、従来のこの種のネットワークプリンタシステムにおいて、プリンタが受信し保管している全ての印刷ジョブ情報の状態をクライアント端末で監視するためには、プリンタは、受信した印刷ジョブを解析してジョブ単位にスプールする、いわゆるスプール機能を有している必要があった。仮に、スプール機能を有していないプリンタの場合には、受信した印刷ジョブ情報を受信バッファに一時的に保管し、その後、受信バッファに保管された印刷ジョブ情報を解析して印刷ドキュメントを印刷する。このとき、クライアント端末で監視可能な情報は、印刷中のジョブ情報のみとなる。受信バッファには、印刷を効率的に行うために複数の印刷ジョブ情報を連続して保管することはできる。しかし、印刷中以外の印刷ジョブ情報は受信しただけで解析されていないので、クライアント端末で監視することはできない。このため、高機能で高価なプリンタを使用せざるを得ないという問題があった。
【０００６】
本発明はこのような事情に基づいてなされたもので、その目的とするところは、スプール機能を有さないプリンタを使用しても、プリンタが受信し保管している全ての印刷ジョブの状態を端末で監視することができるネットワークプリンタシステムを構築できる印刷管理装置を提供しようとするものである。
【課題を解決するための手段】
【０００７】
本発明は、印刷ジョブの生成機能を有した端末とプリンタとを接続してなるネットワーク上に設けられた印刷管理装置であって、端末からネットワークを通じて送信される印刷ジョブを取込む印刷ジョブ取込手段と、取込んだ印刷ジョブからジョブ管理情報を抽出するジョブ管理情報抽出手段と、抽出したジョブ管理情報を該当印刷ジョブの状態を示すステータス情報とともに、端末で閲覧可能に蓄積記憶するジョブ管理情報記憶手段と、プリンタでの印刷ジョブの印刷状況に同期させてジョブ管理情報記憶手段により記憶された当該印刷ジョブのステータス情報を更新する第１のステータス更新手段と、端末からの印刷ジョブ削除，停止または再開の制御指令に応じてジョブ管理情報記憶手段により記憶された当該印刷ジョブのステータス情報を更新する第２のステータス更新手段とを備えたものである。
【発明の効果】
【０００８】
かかる手段を講じた本発明の印刷管理装置をネットワークプリンタシステムのプリントサーバとして用いることによって、スプール機能を有さないプリンタを使用したままでも、プリンタが受信し保管している全ての印刷ジョブの状態を端末で略リアルタイムに監視できるようになる。
【発明を実施するための最良の形態】
【０００９】
以下、本発明を実施するための最良の形態について、図面を用いて説明する。  
なお、この実施の形態は、ネットワークプリンタシステムのプリントサーバに本発明に係わる印刷管理装置を適用した場合である。
【００１０】
図１は本実施の形態におけるネットワークプリンタシステムの全体構成を示す模式図である。ＬＡＮとして敷設されたネットワーク１上に、複数台（図では２台）のクライアント端末２と、１台のプリンタ３と、１台のプリントサーバ４とを接続して、ネットワークプリンタシステムを構築している。
【００１１】
ネットワーク１は、通信プロトコルとしてＴＣＰ／ＩＰ（Transmission Control Protocol/Internet Protocol）を使用したものである。通信プロトコルＴＣＰ／ＩＰを使用したネットワーク１では、当該ネットワーク１に接続された機器をネットワーク経由で監視するためのアプリケーションプロトコルとしてＳＮＭＰ（Simple Network Management Protocol）を利用できる。本実施の形態では、このアプリケーションプロトコルＳＮＭＰを利用して、プリンタ３の状態をクライアント端末２で監視する。
【００１２】
クライアント端末２は、パーソナルコンピュータまたはワークステーション等のコンピュータ端末であり、その要部構成を図２のブロック図で示す。図示するように、クライアント端末２は、キーボード，マウス等の入力部２１、液晶ディスプレイ，ＣＲＴ（Cathode Ray Tube）ディスプレイ等の表示部２２、ＲＯＭ（Read Only Memory），ＲＡＭ（Random Access Memory），ＨＤＤ（Hard Disk Drive）装置等の記憶部２３、ネットワーク１を経由してのデータ通信を処理する通信処理部２４及びこれらを制御する制御部２５等を備えている。
【００１３】
制御部２５は、特に、印刷データ生成部２５１としての機能と、プリンタ監視部２５２としての機能とを有している。印刷データ生成部２５１は、例えば文書作成ソフトや表計算ソフト等のアプリケーションの実行により発生した印刷ドキュメントから印刷ジョブ情報を生成する機能である。生成された印刷ジョブ情報は、通信処理部２４の処理によりネットワーク１を経由してプリントサーバ４に送信される。プリンタ監視部２５２は、予め実装されたプリンタ監視モジュールの起動によりアプリケーションプロトコルＳＮＭＰを使用してプリンタ３及びプリントサーバ４から必要な情報を取得し、印刷ジョブ管理リストを作成する。そして、このリストの画面を表示部２２に表示する機能である。
【００１４】
プリンタ３は、印刷ジョブのスプール機能を有さない低スペックなものであり、例えばラベルプリンタやバーコードプリンタ等がこれに該当する。かかるプリンタ３は、アプリケーションプロトコルＳＮＭＰに対応している。すなわち、ＭＩＢ（Management Information Base）と呼ばれるプリンタ３の状態を示す変数情報のテーブルと、ＭＩＢ情報を操作するＳＮＭＰエージェントと呼ばれるプログラムとが実装されている。
【００１５】
プリンタ３の要部構成を図３のブロック図で示す。図示するように、プリンタ３は、印刷を実行するプリンタエンジン３１と、ネットワーク１を経由してのデータ通信を処理する通信処理部３２と、受信バッファ３３１，イメージバッファ３３２，ＭＩＢ情報テーブル３３３等が形成された記憶部３３と、これらを制御する制御部３４とを備えている。
【００１６】
受信バッファ３３１は、受信した複数の印刷ジョブ情報を順次記憶するエリアである。イメージバッファ３３２は、プリンタエンジン３１で印刷する印刷データを展開するエリアである。ＭＩＢ情報テーブル３３３は、プリンタ３の状態を示す変数情報（ＭＩＢ情報）を記憶するエリアである。
【００１７】
制御部３４は、特に、展開処理部３４１としての機能と、印刷処理部３４２としての機能と、プリンタ情報管理部３４３としての機能とを有している。展開処理部３４１は、受信バッファ３３１から古い順に印刷ジョブ情報を読出し、印刷データをイメージデータとしてイメージバッファ３３２に展開する機能である。印刷処理部３４２は、イメージバッファ３３２に展開されたイメージデータを順次読出しプリンタエンジン３１に供給して、印刷を行わせる機能である。プリンタ情報管理部３４３は、ＳＮＭＰエージェントに基づいて、展開処理部３４１により印刷データが展開された印刷ジョブ情報や印刷処理部３４２により制御される印刷の処理状況を管理し、ＭＩＢ情報テーブル３３３に記憶されている変数情報を適宜更新する機能である。
【００１８】
プリントサーバ４は、パーソナルコンピュータ等のコンピュータ端末を主体としたものであり、その要部構成を図４のブロック図で示す。図示するように、プリントサーバ４は、ＲＯＭ，ＲＡＭ，ＨＤＤ装置等の記憶部４１、ネットワーク１を経由してのデータ通信を処理する通信処理部４２及びこれらを制御する制御部４３等を備えている。
【００１９】
プリントサーバ４は、プリンタ３と同様にアプリケーションプロトコルＳＮＭＰに対応している。すなわち、ＭＩＢ情報のテーブルに相当するジョブ管理情報テーブル４１１を記憶部４１に形成するとともに、このジョブ管理情報テーブル４１１のＭＩＢ情報を操作するプログラム（ＳＮＭＰエージェントモジュール）が実装されている。
【００２０】
制御部４３は、特に、印刷データ取込部４３１としての機能と、ジョブ管理情報抽出部４３２としての機能と、ジョブ管理情報管理部４３３としての機能とを有している。印刷データ取込部４３１は、各クライアント端末２からネットワーク１上に送信された印刷ジョブ情報を通信処理部４２を介して受信し、受信した印刷ジョブ情報を解析してジョブ単位にスプールする機能である（印刷ジョブ取込手段）。ジョブ管理情報抽出部４３２は、印刷データ取込部４３１により取込んだ印刷ジョブ情報からジョブ管理情報を抽出する機能である（ジョブ管理情報抽出手段）。ジョブ管理情報管理部４３３は、ＳＮＭＰエージェントモジュールに基づいて、ジョブ管理情報取得部４３２により印刷ジョブ情報から取得したジョブ管理情報をＭＩＢ情報の形式に変換し、さらに、該当印刷ジョブ情報の状態を示すステータス情報を付加して前記ジョブ管理情報テーブル４１１に書込む機能と、当該ジョブ管理情報テーブル４１１に書き込まれたジョブ管理情報とステータス情報を管理し、プリンタ３から送信されるイベント通知ＴＲＡＰ（トラップ）により、ステータス情報等を適宜更新する機能とを有する。
【００２１】
ここに、記憶部４１のジョブ管理情報テーブル４１１は、印刷ジョブ情報から抽出されたジョブ管理情報を該当印刷ジョブ情報の状態を示すステータス情報とともに、クライアント端末２で閲覧可能に蓄積記憶するジョブ管理情報記憶手段を構成する。
【００２２】
次に、以上の如く構成されたクライアント端末２、プリンタ３及びプリントサーバ４を備えてなる本実施の形態のネットワークプリンタシステムの動作についてデータの具体例を挙げながら説明する。
【００２３】
クライアント端末２において例えば文書作成ソフトが実行され、印刷ドキュメントが発生すると、その端末２では、印刷データ生成部２５１の機能により、図５に示すように、印刷ドキュメントに対応した描画コマンド５１に、ジョブＩＤ、ジョブ名、所有者通信アドレス及び受付時間（年月日時分）の各項目からなるジョブ管理情報５２をヘッダとして付加した印刷ジョブ情報５０が作成される。そして、このジョブ管理情報５２付の印刷ジョブ情報５０が、通信処理部２４からプリントサーバ４に通信プロトコルＴＣＰ／ＩＰに従って送信される。なお、ジョブ管理情報５２の項目は、これに限定されるものではない。
【００２４】
プリントサーバ４では、印刷データ取込部４３１の機能により、通信処理部４２を介して受信した印刷ジョブ情報５０が解析され、ジョブ単位にスプールされる。また、ジョブ管理情報抽出部４３２の機能により、スプールされた印刷ジョブ情報５０の中から先頭の印刷ジョブ情報５０が選択され、この印刷ジョブ情報５０からジョブ管理情報５２が抽出される。そして、ジョブ管理情報管理部４３３の機能により、図７に示すように、このジョブ管理情報５２に含まれるジョブＩＤ，ジョブ名，所有者通信アドレス及び受付時間の各項目データが、ジョブ管理情報テーブル４１１の新規の最小管理番号と関連付けられて書込まれる。また、当該印刷ジョブ情報５０の描画コマンド５１が解析されて印刷データの総頁数が算出される。そして、この総頁数が、「印刷待ち」のステータス情報とともに当該管理番号と関連付けられて書込まれる。なお、印刷頁数は初期値“０”である。
【００２５】
こうして、ジョブ管理情報５２が抽出され、ステータス情報等とともにジョブ管理情報テーブル４１１に書き加えられたジョブ管理情報５２付の印刷ジョブ情報５０は、対応する管理番号が付加された状態で、通信処理部４２からプリンタ３に通信プロトコルＴＣＰ／ＩＰに従って送信される。
【００２６】
プリントサーバ４では、クライアント端末２からジョブ管理情報５２付の印刷ジョブ情報５０を受信する毎に、プリンタ３の受信バッファ３３１が満杯になるまで、上記の処理を繰返し実行される。
【００２７】
プリンタ３では、通信プロトコルＴＣＰ／ＩＰに従って送信された印刷ジョブ情報５０が受信バッファ３３１に受信順に蓄積される。この印刷ジョブ情報５０には、ジョブＩＤに代えて管理番号がセットされたジョブ管理情報５２が付加されている。
【００２８】
そしてプリンタ３では、展開処理部３４１の機能により、受信バッファ３３１から古い順に印刷ジョブ情報５０が読み出され、その印刷ジョブ情報５０中の描画コマンド５１に基づいてイメージバッファ３３２にイメージデータが展開される。しかる後、印刷処理部３４２の機能によりプリンタエンジン３１が制御されて、イメージバッファ３３２内のイメージデータが印刷出力される。
【００２９】
また、印刷が行われる都度、プリンタ３では、プリンタ情報管理部３４３の機能により、図６に示すように、当該印刷ジョブ情報５０中のジョブ管理番号５２に含まれる管理番号，ジョブ名，所有者通信アドレス及び発行時間の各項目データがセットされたＭＩＢ情報テーブル３３３のステータス情報が「印刷中」に更新される。また、印刷頁数情報がカウントアップされる。
【００３０】
プリントサーバ４では、ジョブ管理情報管理部４３３の機能により、アプリケーションプロトコルＳＮＭＰに従って、定期的にプリンタ３から印刷中の印刷ジョブ情報５０に関するＭＩＢ情報テーブル３３３のデータが取得される。そして、このＭＩＢ情報テーブル３３３のデータに基づいて、ジョブ管理情報テーブル４１１内の当該管理番号に対応した印刷頁数及びステータス情報が更新される（第１のステータス更新手段）。
【００３１】
また、プリンタ３においてプリントエラーが発生したり、印刷ジョブ情報５０の印刷が終了した場合には、イベント通知ＴＲＡＰがプリントサーバ４に送信される。このイベント通知ＴＲＡＰを受けて、プリントサーバ４では、ジョブ管理情報管理部４３３の機能により、ジョブ管理情報テーブル４１１内の当該管理番号に対応したステータス情報が「エラー終了」や「正常終了」等に更新される（第１のステータス更新手段）。
【００３２】
一方、クライアント端末２においてプリンタ監視モジュールが起動されると、プリンタ監視部２５２の機能により、アプリケーションプロトコルＳＮＭＰに従って、プリントサーバ４からＭＩＢ情報であるジョブ管理情報テーブル４１１のデータが取込まれる。そして、このジョブ管理情報テーブル４１１のデータに基づいて印刷ジョブ管理リストが作成される。そして、図８に示すように、印刷ジョブ管理リスト画面８０が表示部２２に表示される。
【００３３】
その後、クライアント端末２では、上記ジョブ管理情報テーブル４１１のデータが定期的に取込まれる。そしてその都度、印刷ジョブ管理リスト画面８０の情報が更新される。また、プリンタ３からのイベント通知ＴＲＡＰによりジョブ管理情報テーブル４１１内の当該管理番号に対応したステータス情報が更新されると、それに応じて、プリントサーバ４からプリンタ監視モジュール起動中のクライアント端末２に対して同様なイベント通知ＴＲＡＰが発信される。このイベント通知を受けたクライアント端末２では、その都度、印刷ジョブ管理リスト画面８０の情報が更新される。
【００３４】
かくして、プリンタ３が受信し保管している全ての印刷ジョブの状態は、クライアント端末２において略リアルタイムに監視される。
【００３５】
また、プリンタ監視モジュール起動中のクライアント端末２では、入力部２１の操作により、印刷ジョブ管理リスト画面８０を介して送信済印刷ジョブの削除、停止または再開を指令することができる。
【００３６】
印刷ジョブ管理リスト画面８０上のいずれかの印刷ジョブが選択され、削除、停止または再開が指令されると、クライアント端末２では、プリンタ監視部２５２の機能により、ネットワーク１を通じてプリントサーバ４に当該印刷ジョブの管理番号をキーとして削除、停止または再開の命令が通知される。この通知を受けて、プリントサーバ４では、ジョブ管理情報管理部４３３の機能により、ジョブ管理情報テーブル４１１内の同一管理番号に対応したステータス情報が「削除」，「停止」または「再開」に更新される（第２のステータス更新手段）。そして、これに応じて、印刷ジョブ管理リスト画面８０上の該当印刷ジョブに対応したステータス情報も同様に変更される。
【００３７】
プリントサーバ４では、ジョブ管理情報管理部４３３の機能により、ジョブ管理情報テーブル４１１内の最上位レコードのステータス情報が「正常終了」または「エラー終了」に更新された場合、すなわち該当する印刷ジョブが終了した場合、それに続く上位２つの印刷ジョブのステータスに変化があればその変化がプリンタ３に通知される。具体的には以下のようになる。
【００３８】
今、ジョブ管理情報テーブル４１１に図７に示す内容が記憶されているものとする。ここで、クライアント端末２の操作により管理番号［００００１］で識別される印刷ジョブの停止が指令された場合、この管理番号［００００１］に対応してジョブ管理情報テーブル４１１に記憶されているステータス情報が「印刷中」から「停止」に更新される。そして、プリンタ３に管理番号［００００１］で識別される印刷ジョブの停止が通知される。この通知を受けて、プリンタ３では当該印刷ジョブの印刷動作を停止する。
【００３９】
ところで、図７に示す例では、管理番号［００００３］に対応したステータス情報が「削除」になっており、管理番号［００００４］に対応したステータス情報が「停止」になっている。これは、いずれかのクライアント端末２において、管理番号［００００３］で識別される印刷ジョブの削除が指令され、また、管理番号［００００４］で識別される印刷ジョブの停止が指令されたことを意味している。ただし、削除または停止が指令された段階では、プリントサーバ４からプリンタ３に何も通知は行われない。
【００４０】
その後、プリンタ３において、管理番号［００００１］の印刷ジョブの印刷が終了すると、プリンタ３では、次に管理番号［００００２］の印刷ジョブの印刷が開始される。このとき、プリントサーバ４においては、ジョブ管理情報テーブル４１１から管理番号［００００１］のレコードが削除される。そして、次の管理番号［００００２］のステータス情報とその次の管理番号［００００３］のステータス情報とがチェックされ、プリンタ３にこの２つのステータス情報が通知される。
【００４１】
ここで、管理番号［００００３］のステータス情報は「削除」である。その結果、プリンタ３においては、管理番号［００００２］の印刷ジョブの印刷が終了した後、管理番号［００００３］の印刷ジョブは、印刷されることなく削除される。
【００４２】
このように本実施の形態によれば、スプール機能を有さないプリンタ３を使用したままでも、プリンタ３が受信し保管している全ての印刷ジョブの状態をクライアント端末２で略リアルタイムに監視することができる。
【００４３】
なお、この発明は前記実施形態そのままに限定されるものではなく、実施段階ではその要旨を逸脱しない範囲で構成要素を変形して具体化できる。
【００４４】
例えば前記実施の形態では、プリンタ３が１台のみのネットワークプリンタシステムを例示したが、複数台のプリンタ３をネットワーク１に接続してなるネットワークプリンタシステムに対しても、ジョブ管理情報テーブル４１１のデータ項目にプリンタ２のＩＰアドレスを追加することによって、本発明の印刷管理装置をプリントサーバ４として適用することできる。
【００４５】
また、本発明は、スプール機能を有するプリンタを備えたネットワークプリンタシステムのプリントサーバ４として適用しても問題がないのは言うまでもないことである。
【００４６】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００４７】
【図１】本発明の一実施の形態であるネットワークプリンタシステムの全体構成を示す模式図。
【図２】本実施の形態におけるクライアント端末の要部構成を示すブロック図。
【図３】本実施の形態におけるプリンタの要部構成を示すブロック図。
【図４】本実施の形態におけるプリントサーバの要部構成を示すブロック図。
【図５】本実施の形態においてクライアント端末で生成される印刷ジョブ情報の主要なデータ構造を示す模式図。
【図６】本実施の形態においてプリンタで記憶されるＭＩＮ情報テーブルの主要なデータ構造を示す模式図。
【図７】本実施の形態においてプリントサーバで記憶されるジョブ管理情報テーブルの主要なデータ構造を示す模式図。
【図８】本実施の形態においてクライアント端末に表示される印刷ジョブ管理リスト画面の一例を示す模式図。
【符号の説明】
【００４８】
１…ネットワーク、２…クライアント端末、３…プリンタ、４…プリントサーバ、２２…表示部、２５，３４，４３…制御部、８０…印刷ジョブ管理リスト画面、２５１…印刷データ生成部、２５２…プリンタ監視部、３３１…受信バッファ、３３２…イメージバッファ、３３３…ＭＩＢ情報テーブル、３４１…展開処理部、３４２…印刷処理部、３４３…プリンタ情報管理部、４１１…ジョブ管理情報テーブル、４３１…印刷データ取込部、４３２…ジョブ管理情報抽出部、４３３…ジョブ管理情報管理部。
【図１】
2008134953.tif 000003
【図２】
2008134953.tif 000004
【図３】
2008134953.tif 000005
【図４】
2008134953.tif 000006
【図５】
2008134953.tif 000007
【図６】
2008134953.tif 000008
【図７】
2008134953.tif 000009
【図８】
2008134953.tif 000010